(57)【要約】【課題】ＲＦ無線ランプ信号制御とディスプレイを提供する。【解決手段】無線リモコン装置と音響光学警告装置とが含有され、無線リモコン装置は、ランプ信号制御器とランプ信号切換え回路及びＲＦ無線信号発信器からなり、音響光学警告装置は、ＲＦ無線信号受信機とランプ信号制御回路、ＬＥＤディスプレイ及びブザーからなり、ＲＦ無線信号受信機は、ＲＦ無線信号発信器からのランプ信号警告リモコン信号を受信し、また、信号を処理した後、ＬＥＤディスプレイやブザーにより音響光学警告信号を生成する。【選択図】図１
0003128726.tif 000002
【実用新案登録請求の範囲】
【請求項１】
、無線リモコン装置と音響光学警告装置とが含有され、
当該無線リモコン装置が、ランプ信号制御器とランプ信号切換え回路、ＲＦ無線信号発信器及び電池セットからなり、当該ランプ信号制御器が、タッチボタンにより、左右折や点滅警告信号を当該ランプ信号切換え回路へ伝送し、また、ランプ信号制御信号を当該ＲＦ無線信号発信器を介して音響光学警告装置へ伝送し、当該電池セットが、当該無線リモコン装置に、必要とする電気エネルギーを供給し、
当該音響光学警告装置が、ＲＦ無線信号受信機とランプ信号制御回路、ＬＥＤディスプレイ、ブザー及び電池セットからなり、当該ＲＦ無線信号受信機が、当該ＲＦ無線信号発信器からのランプ信号警告リモコン信号を受信し、また、当該ランプ信号制御回路により信号を処理した後、当該ＬＥＤディスプレイにより左右折や他の点滅警告ランプ信号を表示し、或いは、当該ブザーやスピーカーにより、警告音声信号を生成し、当該電池セットが、当該音響光学警告装置に、必要とする電気エネルギーを供給する、
ことを特徴とするＲＦ無線ランプ信号制御とディスプレイ。
【請求項２】
当該無線リモコン装置が、ロック素子により、自転車のハンドルの端側に取付けられ、当該音響光学警告装置が、ロック素子により、自転車のシートの立てパイプの裏側に取付けられることを特徴とする請求項１に記載のＲＦ無線ランプ信号制御とディスプレイ。
【請求項３】
当該自転車の制動レバーが、タッチスイッチにより、手握り制動信号を当該無線リモコン装置内のランプ信号制御器へ伝送して、無線で自転車の制動信号を伝送することを特徴とする請求項２に記載のＲＦ無線ランプ信号制御とディスプレイ。
【請求項４】
当該音響光学警告装置が、歩行者のリュックサックや帽子上に取付けられ、また、当該無線リモコン装置が、歩行者の手部に取付けられることを特徴とする請求項１に記載のＲＦ無線ランプ信号制御とディスプレイ。
【考案の詳細な説明】
【技術分野】
【０００１】
本考案は、ＲＦ無線ランプ信号制御とディスプレイに関し、特に、無線リモコン信号により、自転車の左右折や他の点滅音響光学警告ランプ信号を制御して表示し、自転車にランプ信号表示と音響光学との２重警告機能を付与するものに関する。
【背景技術】
【０００２】
従来の自転車は、走行安全において、自動車やバイクのような完全なランプ信号音響光学警告装置がないため、自転車の走行安全が良くなく、特に、夜や曇り或いは雨等の視線が良くない時、自転車の走行が非常に危険であり、従来の自転車は、反光シートやスナップ鈴等の装置が付けられているが、従来の反光シートは、投射光源がなければ機能が発揮できなく、例えば、後ろからの車が照射したライトが弱いかライトを点灯していない時、当該反光シートによる警告効果がない。
【考案の開示】
【考案が解決しようとする課題】
【０００３】
本考案の主な目的は、其利用無線リモコン装置以制御自転車騎乘左右折或其他点滅音響光学警告ランプ信号、俾達到使自転車能具有ランプ信号表示と音響光学２重警告機能。ＲＦ無線ランプ信号制御とディスプレイを提供する。
【課題を解決するための手段】
【０００４】
請求項１の考案は、無線リモコン装置と音響光学警告装置とが含有され、当該無線リモコン装置が、ランプ信号制御器とランプ信号切換え回路、ＲＦ無線信号発信器及び電池セットからなり、当該ランプ信号制御器が、タッチボタンにより、左右折や点滅警告信号を当該ランプ信号切換え回路へ伝送し、また、ランプ信号制御信号を当該ＲＦ無線信号発信器を介して音響光学警告装置へ伝送し、当該電池セットが、当該無線リモコン装置に、必要とする電気エネルギーを供給し、当該音響光学警告装置が、ＲＦ無線信号受信機とランプ信号制御回路、ＬＥＤディスプレイ、ブザー及び電池セットからなり、当該ＲＦ無線信号受信機が、当該ＲＦ無線信号発信器からのランプ信号警告リモコン信号を受信し、また、当該ランプ信号制御回路により信号を処理した後、当該ＬＥＤディスプレイにより左右折や他の点滅警告ランプ信号を表示し、或いは、当該ブザーやスピーカーにより、警告音声信号を生成し、当該電池セットが、当該音響光学警告装置に、必要とする電気エネルギーを供給する、ことを特徴とするＲＦ無線ランプ信号制御とディスプレイである。
【０００５】
請求項２の考案は、当該無線リモコン装置が、ロック素子により、自転車のハンドルの端側に取付けられ、当該音響光学警告装置が、ロック素子により、自転車のシートの立てパイプの裏側に取付けられることを特徴とする請求項１に記載のＲＦ無線ランプ信号制御とディスプレイである。
【０００６】
請求項３の考案は、当該自転車の制動レバーが、タッチスイッチにより、手握り制動信号を当該無線リモコン装置内のランプ信号制御器へ伝送して、無線で自転車の制動信号を伝送することを特徴とする請求項２に記載のＲＦ無線ランプ信号制御とディスプレイである。
【０００７】
請求項４の考案は、当該音響光学警告装置が、歩行者のリュックサックや帽子上に取付けられ、また、当該無線リモコン装置が、歩行者の手部に取付けられることを特徴とする請求項１に記載のＲＦ無線ランプ信号制御とディスプレイである。
【考案を実施するための最良の形態】
【０００８】
本考案は、図１乃至３を参照しながら、ＲＦ無線ランプ信号制御とディスプレイであり、特に、自転車に取付けられるランプ信号表示と音響光学警告の無線リモコン装置であり、本考案は、主として、無線リモコン装置１０と音響光学警告装置２０が含有され、当該無線リモコン装置１０は、ロック素子３１により自転車のハンドル３０の端側に取付けられ、当該音響光学警告装置２０は、ロック素子４１により自転車のシートの立てパイプ４０の裏側に取付けられ、ユーザーは、無線リモコン信号により、走行の左右折や他の点滅警告ランプ信号を制御して表示し、自転車の楽しみと安全性が向上される。
【０００９】
当該無線リモコン装置１０は、ランプ信号制御器１２とランプ信号切換え回路１４、ＲＦ無線信号発信器１６及び電池セット１１からなり、当該ランプ信号制御器１２は、タッチボタンにより、左右折や点滅警告信号をランプ信号切換え回路１４へ伝送し、また、当該ランプ信号切換え回路１４は、受信したタッチボタン信号を処理してから、ランプ信号制御信号を、当該ＲＦ無線信号発信器１６を介して、自転車の後方に位置する音響光学警告装置２０へ伝送し、これにより、無線で自転車の方向ランプの信号を伝送でき、また、当該電池セット１１は、当該無線リモコン装置１０に、必要とする電気エネルギーを供給し、自転車の制動レバー３５は、タッチスイッチ（図に未表示）により、手握り制動信号を当該無線リモコン装置１０内のランプ信号制御器１２へ伝送でき、これにより、無線で自転車の制動信号を伝送でき、そのため、走行の安全性が向上される。
【００１０】
当該音響光学警告装置２０は、ＲＦ無線信号受信機２２とランプ信号制御回路２４、ＬＥＤディスプレイ２６、ブザー２８及び電池セット２１からなり、当該ＲＦ無線信号受信機２２は、当該ＲＦ無線信号発信器１６からのランプ信号警告リモコン信号を受信し、当該受信したリモコン信号が、当該ランプ信号制御回路２４によって信号処理された後、ＬＥＤディスプレイ２６により、左右折や他の点滅警告ランプ信号を表示するか、或いは、ブザー２８やスピーカーにより警告音声信号を生成し、従来の自転車の機械式のスナップ鈴の替わりに、本考案を利用すれば、自転車は、走行中、方向ランプ信号表示と音響光学の２重警告機能を発揮でき、そのため、走行の楽しみと安全性が向上され、また、当該電池セット２１は、当該音響光学警告装置２０に、必要とする電気エネルギーを供給し、そして、当該音響光学警告装置２０は、上に固定されたロック素子４１により、自転車のシートの立てパイプ４０の裏側に取付けられ、これにより、後ろからの車に対して明白な音響光学警告信号により警告できる。
【００１１】
図４のように、本考案に係わるＲＦ無線ランプ信号制御とディスプレイは、他の携帯設備に、幅広く適用でき、即ち、本考案に係わる音響光学警告装置２０が、歩行者やライダーのリュックサックや帽子に取付けられ、また、当該無線リモコン装置１０が、歩行者の手部に取付けられ、これにより、団体的に走行する時、常時に後ろに居るメンバーに対して音響光学警告信号で行走や方向を指示できる。
【００１２】
上記の説明から分かるように、本考案を利用すれば、次の利点が得られ、即ち、本考案に係わるＲＦ無線ランプ信号制御とディスプレイは、自転車の方向ランプ信号と音響光学の２重警告機能をリモコンでき、また、無線であるため、配線が要らないから、美観だけでなく、実装が容易であり、また、移動体やリュックサック、帽子或いは人の体に適用でき、更に、自転車の制動レバーにタッチスイッチを取付けることにより、制動信号をディスプレイやブザー或いはスピーカーへ伝送できるため、自転車の走行安全性が大幅に向上される。
【図面の簡単な説明】
【００１３】
【図１】本考案に係わる無線ランプ信号リモコン装置と音響光学表示装置の立体図
【図２】本考案の実施例の信号伝送のブロック図
【図３】本考案を自転車に取付ける時の概念図
【図４】本考案を歩行者のリュックサックに取付ける時の概念図
【符号の説明】
【００１４】
１０    無線リモコン装置
１１    電池セット
１２    ランプ信号制御器
１４    ランプ信号切換え回路
１６    ＲＦ無線信号発信器
２０    音響光学警告装置
２１    電池セット
２２    ＲＦ無線信号受信機
２４    ランプ信号制御回路
２６    ＬＥＤディスプレイ
２８    ブザー
３０    ハンドル
３１    ロック素子
３５    制動レバー
４０    立てパイプ
４１    ロック素子
【図１】
0003128726.tif 000003
【図２】
0003128726.tif 000004
【図３】
0003128726.tif 000005
【図４】
0003128726.tif 000006
【手続補正書】
【提出日】平成18年11月10日(2006.11.10)
【手続補正１】
【補正対象書類名】実用新案登録請求の範囲
【補正対象項目名】全文
【補正方法】変更
【補正の内容】
【実用新案登録請求の範囲】
【請求項１】
、無線リモコン装置と音響光学警告装置とが含有され、
当該無線リモコン装置が、ランプ信号制御器とランプ信号切換え回路、ＲＦ無線信号発信器及び電池セットからなり、当該ランプ信号制御器が、タッチボタンにより、左右折や点滅警告信号を当該ランプ信号切換え回路へ伝送し、また、ランプ信号制御信号を当該ＲＦ無線信号発信器を介して音響光学警告装置へ伝送し、当該電池セットが、当該無線リモコン装置に、必要とする電気エネルギーを供給し、
当該音響光学警告装置が、ＲＦ無線信号受信機とランプ信号制御回路、ＬＥＤディスプレイ、ブザー及び電池セットからなり、当該ＲＦ無線信号受信機が、当該ＲＦ無線信号発信器からのランプ信号警告リモコン信号を受信し、また、当該ランプ信号制御回路により信号を処理した後、当該ＬＥＤディスプレイにより左右折や他の点滅警告ランプ信号を表示し、或いは、当該ブザーやスピーカーにより、警告音声信号を生成し、当該電池セットが、当該音響光学警告装置に、必要とする電気エネルギーを供給する、
ことを特徴とするＲＦ無線ランプ信号制御装置。
【請求項２】
当該無線リモコン装置が、ロック素子により、自転車のハンドルの端側に取付けられ、当該音響光学警告装置が、ロック素子により、自転車のシートの立てパイプの裏側に取付けられることを特徴とする請求項１に記載のＲＦ無線ランプ信号制御装置。
【請求項３】
当該自転車の制動レバーが、タッチスイッチにより、手握り制動信号を当該無線リモコン装置内のランプ信号制御器へ伝送して、無線で自転車の制動信号を伝送することを特徴とする請求項２に記載のＲＦ無線ランプ信号制御装置。
【請求項４】
当該音響光学警告装置が、歩行者のリュックサックや帽子上に取付けられ、また、当該無線リモコン装置が、歩行者の手部に取付けられることを特徴とする請求項１に記載のＲＦ無線ランプ信号制御装置。
【手続補正２】
【補正対象書類名】明細書
【補正対象項目名】全文
【補正方法】変更
【補正の内容】
【考案の詳細な説明】
【技術分野】
【０００１】
本考案は、ＲＦ無線ランプ信号制御装置に関し、特に、無線リモコン信号により、自転車の左右折や他の点滅音響光学警告ランプ信号を制御して表示し、自転車にランプ信号表示と音響光学との２重警告機能を付与するものに関する。
【背景技術】
【０００２】
従来の自転車は、走行安全において、自動車やバイクのような完全なランプ信号音響光学警告装置がないため、自転車の走行安全が良くなく、特に、夜や曇り或いは雨等の視線が良くない時、自転車の走行が非常に危険であり、従来の自転車は、反光シートやスナップ鈴等の装置が付けられているが、従来の反光シートは、投射光源がなければ機能が発揮できなく、例えば、後ろからの車が照射したライトが弱いかライトを点灯していない時、当該反光シートによる警告効果がない。
【考案の開示】
【考案が解決しようとする課題】
【０００３】
本考案の主な目的は、その無線リモコン装置を用いて、自転車の左右折又は他の点滅音響光学警告ランプ信号を制御することによって、自転車にランプ信号表示と音響光学との２重警告機能を付与することができるＲＦ無線ランプ信号制御装置を提供する。
【課題を解決するための手段】
【０００４】
請求項１の考案は、無線リモコン装置と音響光学警告装置とが含有され、当該無線リモコン装置が、ランプ信号制御器とランプ信号切換え回路、ＲＦ無線信号発信器及び電池セットからなり、当該ランプ信号制御器が、タッチボタンにより、左右折や点滅警告信号を当該ランプ信号切換え回路へ伝送し、また、ランプ信号制御信号を当該ＲＦ無線信号発信器を介して音響光学警告装置へ伝送し、当該電池セットが、当該無線リモコン装置に、必要とする電気エネルギーを供給し、当該音響光学警告装置が、ＲＦ無線信号受信機とランプ信号制御回路、ＬＥＤディスプレイ、ブザー及び電池セットからなり、当該ＲＦ無線信号受信機が、当該ＲＦ無線信号発信器からのランプ信号警告リモコン信号を受信し、また、当該ランプ信号制御回路により信号を処理した後、当該ＬＥＤディスプレイにより左右折や他の点滅警告ランプ信号を表示し、或いは、当該ブザーやスピーカーにより、警告音声信号を生成し、当該電池セットが、当該音響光学警告装置に、必要とする電気エネルギーを供給する、ことを特徴とするＲＦ無線ランプ信号制御装置である。
【０００５】
請求項２の考案は、当該無線リモコン装置が、ロック素子により、自転車のハンドルの端側に取付けられ、当該音響光学警告装置が、ロック素子により、自転車のシートの立てパイプの裏側に取付けられることを特徴とする請求項１に記載のＲＦ無線ランプ信号制御装置である。
【０００６】
請求項３の考案は、当該自転車の制動レバーが、タッチスイッチにより、手握り制動信号を当該無線リモコン装置内のランプ信号制御器へ伝送して、無線で自転車の制動信号を伝送することを特徴とする請求項２に記載のＲＦ無線ランプ信号制御装置である。
【０００７】
請求項４の考案は、当該音響光学警告装置が、歩行者のリュックサックや帽子上に取付けられ、また、当該無線リモコン装置が、歩行者の手部に取付けられることを特徴とする請求項１に記載のＲＦ無線ランプ信号制御装置である。
【考案を実施するための最良の形態】
【０００８】
本考案は、図１乃至３を参照しながら、ＲＦ無線ランプ信号制御装置であり、特に、自転車に取付けられるランプ信号表示と音響光学警告の無線リモコン装置であり、本考案は、主として、無線リモコン装置１０と音響光学警告装置２０が含有され、当該無線リモコン装置１０は、ロック素子３１により自転車のハンドル３０の端側に取付けられ、当該音響光学警告装置２０は、ロック素子４１により自転車のシートの立てパイプ４０の裏側に取付けられ、ユーザーは、無線リモコン信号により、走行の左右折や他の点滅警告ランプ信号を制御して表示し、自転車の楽しみと安全性が向上される。
【０００９】
当該無線リモコン装置１０は、ランプ信号制御器１２とランプ信号切換え回路１４、ＲＦ無線信号発信器１６及び電池セット１１からなり、当該ランプ信号制御器１２は、タッチボタンにより、左右折や点滅警告信号をランプ信号切換え回路１４へ伝送し、また、当該ランプ信号切換え回路１４は、受信したタッチボタン信号を処理してから、ランプ信号制御信号を、当該ＲＦ無線信号発信器１６を介して、自転車の後方に位置する音響光学警告装置２０へ伝送し、これにより、無線で自転車の方向ランプの信号を伝送でき、また、当該電池セット１１は、当該無線リモコン装置１０に、必要とする電気エネルギーを供給し、自転車の制動レバー３５は、タッチスイッチ（図に未表示）により、手握り制動信号を当該無線リモコン装置１０内のランプ信号制御器１２へ伝送でき、これにより、無線で自転車の制動信号を伝送でき、そのため、走行の安全性が向上される。
【００１０】
当該音響光学警告装置２０は、ＲＦ無線信号受信機２２とランプ信号制御回路２４、ＬＥＤディスプレイ２６、ブザー２８及び電池セット２１からなり、当該ＲＦ無線信号受信機２２は、当該ＲＦ無線信号発信器１６からのランプ信号警告リモコン信号を受信し、当該受信したリモコン信号が、当該ランプ信号制御回路２４によって信号処理された後、ＬＥＤディスプレイ２６により、左右折や他の点滅警告ランプ信号を表示するか、或いは、ブザー２８やスピーカーにより警告音声信号を生成し、従来の自転車の機械式のスナップ鈴の替わりに、本考案を利用すれば、自転車は、走行中、方向ランプ信号表示と音響光学の２重警告機能を発揮でき、そのため、走行の楽しみと安全性が向上され、また、当該電池セット２１は、当該音響光学警告装置２０に、必要とする電気エネルギーを供給し、そして、当該音響光学警告装置２０は、上に固定されたロック素子４１により、自転車のシートの立てパイプ４０の裏側に取付けられ、これにより、後ろからの車に対して明白な音響光学警告信号により警告できる。
【００１１】
図４のように、本考案に係わるＲＦ無線ランプ信号制御とディスプレイは、他の携帯設備に、幅広く適用でき、即ち、本考案に係わる音響光学警告装置２０が、歩行者やライダーのリュックサックや帽子に取付けられ、また、当該無線リモコン装置１０が、歩行者の手部に取付けられ、これにより、団体的に走行する時、常時に後ろに居るメンバーに対して音響光学警告信号で行走や方向を指示できる。
【００１２】
上記の説明から分かるように、本考案を利用すれば、次の利点が得られ、即ち、本考案に係わるＲＦ無線ランプ信号制御とディスプレイは、自転車の方向ランプ信号と音響光学の２重警告機能をリモコンでき、また、無線であるため、配線が要らないから、美観だけでなく、実装が容易であり、また、移動体やリュックサック、帽子或いは人の体に適用でき、更に、自転車の制動レバーにタッチスイッチを取付けることにより、制動信号をディスプレイやブザー或いはスピーカーへ伝送できるため、自転車の走行安全性が大幅に向上される。
【図面の簡単な説明】
【００１３】
【図１】本考案に係わる無線ランプ信号リモコン装置と音響光学表示装置の立体図
【図２】本考案の実施例の信号伝送のブロック図
【図３】本考案を自転車に取付ける時の概念図
【図４】本考案を歩行者のリュックサックに取付ける時の概念図
【符号の説明】
【００１４】
１０    無線リモコン装置
１１    電池セット
１２    ランプ信号制御器
１４    ランプ信号切換え回路
１６    ＲＦ無線信号発信器
２０    音響光学警告装置
２１    電池セット
２２    ＲＦ無線信号受信機
２４    ランプ信号制御回路
２６    ＬＥＤディスプレイ
２８    ブザー
３０    ハンドル
３１    ロック素子
３５    制動レバー
４０    立てパイプ
４１    ロック素子